(57)【要約】      （修正有）【課題】化粧室ユニットとしての個々の設備を一つのボックス状の化粧室本体内に組み込むことで、コンパクトで小型飛行機にも搭載できる効率的な航空機用化粧室ユニットの構造を提供する。【解決手段】化粧室本体１の側面には、開閉可能な扉１ａを設け、化粧室本体１の空間部内の側壁部に洗面台２，手洗い水タンク３及び男子小便器４を配設し、また前記空間部内の床面５の一部に、循環式汚物タンク６に接続する男女兼用の大小便器７が配設してある。循環式汚物タンク６から発生する臭気を機外に自動的に排気させるための換気装置８が前記便器本体７の背面側側面に取付けてある。前記洗面台２の上部の側壁部にはミラー９を取付け、男子小便器４上の側壁部に可倒式把手１０が設けてある。また前記大小便器７は、便座１１，便蓋１２、アシストグリップ１３及び循環式汚物タンク６から発生する臭気の発散を防止するための防臭カバープレート１４が設けてある。【選択図】図１
2008006915.tif 000002
【特許請求の範囲】
【請求項１】
ボックス状に一体的に成形された化粧室本体の側面に、開閉可能な扉を設け、前記化粧室本体の空間部内の側壁部に洗面台，手洗い水タンク及び男子小便器を配設し、前記空間部内の床面の一部に、循環式汚物タンクに接続する男女兼用の大小便器を配設し、前記循環式汚物タンクから発生する臭気を化粧室本体内から機外に自動的に排気させるための換気装置を設けたことを特徴とする航空機用化粧室ユニットの構造。
【請求項２】
前記洗面台上部の側壁部にミラーを取付け、男子小便器上の側壁部に可倒式把手を設けた請求項１に記載の航空機用化粧室ユニットの構造。
【請求項３】
前記男女兼用の大小便器に、便座，便蓋及び左右把手を設けると共に、循環式汚物タンクから発生する臭気の発散を防止するための防臭カバーを設けた請求項１または２に記載の航空機用化粧室ユニットの構造。
【請求項４】
前記化粧室本体内に、照明機器と、循環式トイレ容量表示灯と赤色灯切り替えスイッチと、換気ファンスイッチとを組み合わせたコントロール制御パネルを配設した請求項１，２または３に記載の航空機用化粧室ユニットの構造。
【請求項５】
前記請求項１〜請求項４の化粧室ユニットを、小型飛行機に搭載するように構成した航空機用化粧室ユニットの構造。
【発明の詳細な説明】
【技術分野】
【０００１】
この発明は、航空機用化粧室ユニットの構造に係わり、更に詳しくは小型飛行機等に搭載可能となるようにコンパクトに構成した航空機用化粧室ユニットの構造に関するものである。
【背景技術】
【０００２】
従来、民間航空機用の化粧室ユニットとしては、乗客の人数にもよるが一般には１０個前後の化粧室ユニットが機体内に搭載され（例えば、特許文献１参照）、また一般乗客が使用する化粧室ユニットの場合、大便器，小便器，ミラーを備えた洗面台等が小スペースのボックス状の化粧室内に組み込まれ、更に化粧室内の換気は、機体に設けられた換気装置を兼用し、更にトイレタンクも機体のフロアーの下部等に設置されているのが一般的である。
【０００３】
然しながら、このような民間航空機用の化粧室ユニットを、１０人前後が乗る小型飛行機に転用しようとしても個々の設備を設置するスペースがなく、また個々の設備を個別に使用する場合には、衛生管理や設備費用が多大となる問題があった。
【特許文献１】特開平５−１５５３９０号公報
【発明の開示】
【発明が解決しようとする課題】
【０００４】
この発明はかかる従来の問題点に着目し、化粧室ユニットとしての個々の設備を一つのボックス状の化粧室本体内に組み込むことで、コンパクトで小型飛行機にも搭載でき、一つの化粧室ユニット内で種々の用事を一度に済ませることが出来る効率的な航空機用化粧室ユニットの構造を提供することを目的とするものである。
【課題を解決するための手段】
【０００５】
この発明は上記目的を達成するため、ボックス状に一体的に成形された化粧室本体の側面に、開閉可能な扉を設け、前記化粧室本体の空間部内の側壁部に洗面台，手洗い水タンク及び男子小便器を配設し、前記空間部内の床面の一部に、循環式汚物タンクに接続する男女兼用の大小便器を配設し、前記循環式汚物タンクから発生する臭気を化粧室本体内から機外に自動的に排気させるための換気装置を設けたことを要旨とするものである。
【０００６】
ここで、前記洗面台上部の側壁部にミラーを取付け、男子小便器上の側壁部に可倒式把手を設け、また前記男女兼用の大小便器に、便座，便蓋及び左右把手を設けると共に、循環式汚物タンクから発生する臭気の発散を防止するための防臭カバーを設け、更に前記化粧室本体内に、照明機器と、循環式トイレ容量表示灯と赤色灯切り替えスイッチと、換気ファンスイッチとを組み合わせたコントロール制御パネルを配設することが出来るものである。
【０００７】
また、この発明の航空機用化粧室ユニットの構造は、上記の化粧室ユニットを、小型飛行機に搭載されるように構成することを要旨とするものである。
【発明の効果】
【０００８】
この発明は、上記のようにボックス状に一体的に成形された化粧室本体の側面に、開閉可能な扉を設け、前記化粧室本体の空間部内の側壁部に洗面台，手洗いタンク及び男子小便器を配設し、前記空間部内の床面の一部に、循環式汚物タンクに接続する男女兼用の大小便器を配設し、前記循環式汚物タンクから発生する臭気を化粧室本体内から機外に自動的に排気させるための換気装置を設けたので、コンパクトな構成で、小型飛行機にも搭載でき、更に一つの化粧室ユニット内で種々の用事を一度に済ませることが出来る効率的な化粧室ユニットとすることが出来る効果がある。
【発明を実施するための最良の形態】
【０００９】
以下、添付図面に基づき、この発明の実施形態を説明する。
図１はこの発明を実施した化粧室ユニットの一部切欠した斜視図、図２は図１のＡ−Ａ矢視化粧室ユニットの正面図、図３は図２のＢ−Ｂ矢視側面図、図４は図３のＣ−Ｃ矢視側面図、図５は図４のＤ−Ｄ矢視平面図を示し、前記化粧室ユニットは、１０人前後の小型飛行機用に搭載可能に構成されている。
【００１０】
前記ボックス状に一体的に成形された化粧室本体１の側面には、開閉可能な扉１ａを設け、前記化粧室本体１の空間部内の側壁部に洗面台２，手洗い水タンク３及び男子小便器４を配設し、また前記空間部内の床面５の一部に、循環式汚物タンク６に接続する男女兼用の大小便器７が配設してある。
【００１１】
また、前記循環式汚物タンク６から発生する臭気を化粧室本体１内から機外に自動的に排気させるための換気装置８が前記便器本体７の背面側側面に取付けてある。更に、前記洗面台２の上部の側壁部にはミラー９を取付け、男子小便器４上の側壁部に男子小便器４を使用する者の可倒式把手１０が設けてある。また前記大小便器７は、便座１１，便蓋１２及びアシストグリップ１３（左右把手）を設けると共に、循環式汚物タンク６から発生する臭気の発散を防止するための防臭カバープレート１４が設けてある。
【００１２】
また、前記化粧室本体１内には、照明機器と、循環式トイレ容量表示灯と赤色灯切り替えスイッチと、換気ファンスイッチとを組み合わせた図示しないコントロール制御パネルが配設されている。
【００１３】
前記男子小便器４は、金属材料により所定の大きさの開口部４ａを備えた球状に形成し、前記球状の男子小便器４内の上部側に、化粧室本体１内の洗面台２で使用した排水を洗浄水として取り入れる洗浄水の流入口１５を設けると共に、小便器４内の下部側に排水管１６を接続し、前記男子小便器４の開口部４ａに、ヒンジ１７を介して開閉可能な蓋１８が設けてある。
【００１４】
前記球状の男子小便器４の少なくとも内面は、汚物が付着し難いステンレス鋼の材料で形成することで、小型飛行機に搭乗して小用する場合にも安心して使用出来ると共に、衛生的であり、またコンパクトに構成してあるので、省スペース化も可能であり、更に男性使用者の使用時間の短縮と、利用サイクルを高めることが出来るものである。
【００１５】
また前記換気装置８は、化粧室本体１内に設置された循環式の汚物タンク６の排気口に配管１９を介して接続され、この換気装置８は前記配管１９が接続する流入口と機外に排気管２０を介して接続する排気口とを備えた気密状態のチャンバー２１により構成されている。前記チャンバー２１の空間部内には、汚臭を含んだ湿気を有する排気の流動通路に沿って複数枚の水切り板（図示せず）を配設し、また前記排気管２０の一部には、機体の駐機状態で駆動するロータリーフアン２２と、機外への排気量を一定に制御するベンチュリー管２３とがそれぞれ設置してある。
【００１６】
このように構成することで、循環式汚物タンク６からの汚臭を含んだ湿気を有する排気を密閉されたチャンバー２１の流入口から取り入れ、この排気は、流動通路Ｓに沿って交互に配設した複数枚の水切り板に当接しながら排気中の水分と、汚臭の臭気の微粒子も水分と共に除去される。除去された排気中の水分と汚臭の臭気の微粒子は、飛行中は機体内外の差圧により排気管２０を介して機外に排気され、また駐機状態では前記排気管２０に設けたロータリーフアン２２により強制排気される。
【００１７】
また、前記排気管２０に設けたベンチュリー管２３は、機外への排気の排気量を一定に制御するものであり、また前記駐機状態でロータリーフアン２２により強制排気し、飛行機の離陸後、離陸の信号を機体から受けることにより前記ロータリーフアン２２の駆動を停止させて、機体内外の差圧を利用して循環式汚物タンク６からの汚臭を機外へ自動的に排気するように構成してある。
【００１８】
換気装置８は、以上のような構成で換気することにより、機体側に換気装置を持たない小型飛行機に省スペース及び省エネルギーで作動する換気装置８を備えた化粧室ユニットを搭載でき、駐機中または飛行中に化粧室本体内の換気を効率良く行うことが出来、化粧室本体内の空気を衛生的に保ことが出来るものである。
【００１９】
この発明は上記のように構成したので、コンパクトな構成で、小型飛行機にも搭載でき、更に一つの化粧室ユニット内で種々の用事を一度に済ませることが出来る効率的な化粧室ユニットとすることが出来る。
【図面の簡単な説明】
【００２０】
【図１】この発明を実施した化粧室ユニットの一部切欠した斜視図である。
【図２】図１のＡ−Ａ矢視化粧室ユニットの正面図である。
【図３】図２のＢ−Ｂ矢視側面図である。
【図４】図３のＣ−Ｃ矢視側面図である。
【図５】図４のＤ−Ｄ矢視平面図である。
【符号の説明】
【００２１】
１  化粧室本体                １ａ  扉
２  洗面台                      ３  手洗い水タンク
４  男子小便器                ４ａ  開口部                                      ５  床面                        ６  循環式汚水タンク
７  便器本体                    ８  換気装置
９  ミラー                    １０  可倒式把手
１１  便座                      １２  便蓋
１３  アシストグリップ          １４  防臭カバープレート
１５  流入口                    １６  排水管
１７  ヒンジ                    １８  蓋
１９  配管                      ２０  排気管
２１  チャンバー                ２２  ロータリーフアン
２３  ベンチュリー管
【図１】
2008006915.tif 000003
【図２】
2008006915.tif 000004
【図３】
2008006915.tif 000005
【図４】
2008006915.tif 000006
【図５】
2008006915.tif 000007